(57)【要約】  植木鉢を開示する。一実施形態に係る植木鉢は、上部が開放され、中央部が貫通部によって前後方向に貫通された植栽空間を提供する本体と、大気中の水分を凝縮して水を生成するために、前記貫通部に設けられる自給灌水モジュールと、前記自給灌水モジュールによって生成された水を前記貫通部の底部の植栽空間に案内するために、前記貫通部の底部に設けられる水供給孔とを含む。
2021503297.tif 000002
【特許請求の範囲】
【請求項１】
上部が開放され、中央部が貫通部によって前後方向に貫通された植栽空間を提供する本体と、
大気中の水分を凝縮して水を生成するために、前記貫通部に設けられる自給灌水モジュールと、
前記自給灌水モジュールによって生成された水を前記貫通部の底部の植栽空間に案内するために、前記貫通部の底部に設けられる水供給孔とを含む植木鉢。
【請求項２】
前記植栽空間の底部は、前記貫通部の底部が前記貫通部の底部の両側よりも高く設けられたる、請求項１に記載の植木鉢。
【請求項３】
前記貫通部の底部において、前記植栽空間の底部が、アーチ形をなすように設ける、請求項２に記載の植木鉢。
【請求項４】
前記自給灌水モジュールは、
熱電素子と、
前記熱電素子の冷却部に設けられる冷却部材と、
前記熱電素子の放熱部に設けられる放熱部材と、
前記放熱部材を冷却させる冷却ファンとを含む、請求項１に記載の植木鉢。
【請求項５】
前記冷却部材は、
冷却板部と、
前記冷却板部から突出した複数の冷却ピン部とを含み、
前記自給灌水モジュールは、前記冷却フィン部が前記水供給孔の直上部に位置するように前記貫通部に設ける、請求項４に記載の植木鉢。
【請求項６】
前記貫通部の上方の植栽空間と前記貫通部との間は、通気が可能に設けられ、
前記自給灌水モジュールは、前記冷却部材が前記貫通部の底部に向かい、かつ前記冷却ファンによって送風される空気が、前記貫通部の上方の前記植栽空間に案内されるように前記貫通部に設けられる、請求項４に記載の植木鉢。
【請求項７】
前記植栽空間は、
前記貫通部の上方の上部植栽空間と、
前記貫通部の両側に設けられる一対の側方植栽空間と、
前記貫通部の下方の下部植栽空間とを含み、
前記貫通部の上方の上部植栽空間の底部は、その中央部が両側よりも高く設けられる、請求項４に記載の植木鉢。
【請求項８】
前記貫通部の上方の上部植栽空間の底部は、アーチ形をなすように設けられる、請求項７に記載の植木鉢。
【請求項９】
一端が前記冷却部材に接触された状態で、他端が前記水供給孔を介して前記植栽空間に延長した芯をさらに含む、請求項４に記載の植木鉢。
【発明の詳細な説明】
【技術分野】
【０００１】
自給灌水が可能な植木鉢に関するものである。
【背景技術】
【０００２】
植物の生長において、最も大きな影響を与える要因の一つは、水分である。したがって、植物を植栽するには、灌水設備をあらかじめ確保することによって、植物の生長に問題が発生しないようにすることが何よりも重要である。
【０００３】
これにより、最近では、灌水作業にかかる時間と労働力とを低減するための努力が続け行われており、そのうち一つが大気中の水分を捕集して、植物に供給する方式がある。
【０００４】
韓国登録特許第１０-１３８８９５１号には、空気中の水分を利用して植物に水を供給する灌水システムが提示されている。
【０００５】
しかし、前記公報に示した灌水システムは、大気中の水分を捕集する構成と、捕集された水を貯蔵する構成と、貯蔵された水を植物に供給する構成などが植物栽培器とは別にそれぞれ設けられた大規模なシステムであり、複雑な構造によって、個々の植木鉢に適用するには限界がある。
【発明の概要】
【発明が解決しようとする課題】
【０００６】
灌水を自給的に解決することができ、自給灌水による構成を簡素化することができる植木鉢を提供するものである。
【０００７】
また、灌水を自給的に解決するともに、植栽された植物の生長効率を向上させ、周囲の空気の浄化作用が行える植木鉢を提供するものである。
【課題を解決するための手段】
【０００８】
一実施形態に係る植木鉢は、上部が開放され、中央部が貫通部によって前後方向に貫通された植栽空間を提供する本体と、大気中の水分を凝縮して水を生成するために、前記貫通部に設けられる自給灌水モジュールと、前記自給灌水モジュールによって生成された水を前記貫通部の底部の植栽空間に案内するために、前記貫通部の底部に設けられる水供給孔とを含む。
【０００９】
前記植栽空間の底部は、前記貫通部の底部が前記貫通部の底部の両側よりも高く設けられたることができる。
【００１０】
前記貫通部の底部において、前記植栽空間の底部が、アーチ形をなすように設けることができる。
【００１１】
前記自給灌水モジュールは、熱電素子と、前記熱電素子の冷却部に設けられる冷却部材と、前記熱電素子の放熱部に設けられる放熱部材と、前記放熱部材を冷却させる冷却ファンとを含むことができる。
【００１２】
前記冷却部材は、冷却板部と、前記冷却板部から突出した複数の冷却ピン部とを含み、前記自給灌水モジュールは、前記冷却フィン部が前記水供給孔の直上部に位置するように前記貫通部に設けることができる。
【００１３】
前記貫通部の上方の植栽空間と前記貫通部との間は、通気が可能に設けられ、前記自給灌水モジュールは、前記冷却部材が前記貫通部の底部に向かい、かつ前記冷却ファンによって送風される空気が、前記貫通部の上方の前記植栽空間に案内されるように前記貫通部に設けられることができる。
【００１４】
前記植栽空間は、前記貫通部の上方の上部植栽空間と、前記貫通部の両側に設けられる一対の側方植栽空間と、前記貫通部の下方の下部植栽空間とを含み、前記貫通部の上方の上部植栽空間の底部は、その中央部が両側よりも高く設けられることができる。
【００１５】
前記貫通部の上方の上部植栽空間の底部は、アーチ形をなすように設けられることができる。
【００１６】
前記植木鉢は、一端が前記冷却部材に接触された状態で、他端が前記水供給孔を介して前記植栽空間に延長した芯をさらに含むことができる。
【発明の効果】
【００１７】
一実施形態に係る植木鉢は、灌水を自給的に解決するための自給灌水モジュールが本体と一体に設けられることによって、灌水を自給的に解決することができ、自給灌水による構成を簡素化させることができる。
【００１８】
また、一実施形態に係る植木鉢は、自給灌水モジュールによって送風される空気を植栽空間に送風することができるため、植物の根の呼吸作用を促進させ、植木鉢の周囲の空気が植栽空間を通過して循環できるようにすることで、灌水を自給的に解決することはもちろん、植栽された植物の生長効率を向上させ、周囲の空気の浄化作用が行える。
【図面の簡単な説明】
【００１９】
【図１】一実施形態における植木鉢の本体の斜視図である。
【図２】一実施形態における植木鉢の自給灌水モジュールの斜視図である。
【図３】一実施形態における植木鉢の斜視図で本体に自給灌水モジュールが組み立てられた状態を示すものである。
【図４】図３の植木鉢の断面図である。
【図５】図４のＡ-Ａに沿って見た断面図である。
【図６】一実施形態における植木鉢の動作状態を示す断面図である。
【図７】一実施形態における植木鉢の変形例を示す断面図で植木鉢の動作状態を示すものである。
【発明を実施するための形態】
【００２０】
以下では、本発明の実施の形態を添付の図面を参照して詳細に説明する。以下の実施の形態は、本発明の属する技術分野における通常の知識を有する者に本発明の思想を十分に伝達するために提示するものである。本発明は、ここで提示した実施形態のみに限定されず、他の形態に具体化されることもできる。図面は、本発明を明確にするために説明と関係ない部分の図示を省略し、理解を助けるために構成要素のサイズを多少誇張して表現することができる。
【００２１】
図１ないし図６に示すように、一実施形態に係る植木鉢１は、植物の植栽のための土壌が収められる本体１０と、植物２を植栽する土壌に水を供給するために本体１０と一体に設けられる自給灌水モジュール２０とを備える。
【００２２】
このような植木鉢１は、水遣り（灌水）を自給的に解決するための自給灌水モジュール２０が本体１０と一体に設けることによって、灌水を自給的に解決できるともに、自給灌水による構成を簡素化させることができる。
【００２３】
本体１０は、上部が開口を介して開放され、中央部が貫通部１２を介して前後方向に貫通された植栽空間１３を提供する。
【００２４】
本体１０は、前面板１４及び背面板１５と、前面板１４と背面板１５との間の両側を形成する一対の側面板１６と、前面板１４と背面板１５との間の底部を形成する底板１７とを含んで、上部が開放された四角の筒形に設けられる。
【００２５】
貫通部１２は、前面板１４と背面板１５との中央部を貫通するように設けることができる。そのために、前面板１４と背面板１５との中央のそれぞれには穴が形成され、両方の穴の周縁は、複数の遮蔽板１２ａ、１２ｂ及び１２ｃにより連結できる。したがって、貫通部１２は、遮蔽板１２ａ、１２ｂ及び１２ｃにより植栽空間１３を仕切った状態で、本体１０を前後方向に貫通する空間を形成することができる。
【００２６】
植栽空間１３は、貫通部１２の上方の上部植栽空間１３ａと、貫通部１２の両側に設けられた一対の側方植栽空間１３ｂと、貫通部１２の下方の下部植栽空間１３ｃを含み、全体的に略「ロ」字状を有する。
【００２７】
このように「ロ」字状に設けられる植栽空間１３の形態を考慮すると、植栽空間１３に植栽される植物２の根２ａが植栽空間１３の全体にわたって均等に育つことができるように、貫通部１２の上方の上部植栽空間１３ａの底部を形成する遮蔽板１２ａは、アーチ形をなすように設置できる。
【００２８】
つまり、上部植栽空間１３ａの底部がアーチ形で設けられた状態では、上部植栽空間１３ａに植栽された植物２の根２ａがアーチ形の上部植栽空間１３ａの底部によって、両側の側方植栽空間１３ｂに分けながら育つので、「ロ」字状に設けられた植栽空間１３の空間活用度を高めることができる。
【００２９】
上部植栽空間１３ａの底部の形状は、アーチ形に限定されるものではない。上部植栽空間１３ａに植栽された植物２の根２ａを両側の側方植栽空間１３ｂの底部へ案内できるように、貫通部１２の上方の上部植栽空間１３ａの底部は、中央部が両側部より高く設けられる範囲内で種々の変形が可能である。
【００３０】
自給灌水モジュール２０は、大気中の水分を凝縮して水を生成するためのものであり、大気の流れが円滑となるように貫通部１２に設置された状態で、本体１０と一体に形成することができる。
【００３１】
自給灌水モジュール２０は、熱電素子２１と、熱電素子２１の冷却部に設けられる冷却部材２２と、熱電素子２１の放熱部に設けられる放熱部材２３と、放熱部材２３を冷却させる冷却ファン２４とを含むように構成できる。
【００３２】
熱電素子２１は、２種の異なる金属を結合させるか、Ｎ型半導体とＰ型半導体を相互接合させた素子であって、このような熱電素子２１は、直流電流の印加時、両側の金属表面に吸熱反応と発熱反応とが起こる特性を有する。吸熱反応が発生する熱電素子２１の一側面は冷却部を形成し、発熱反応が発生する熱電素子２１の他側面は放熱部を形成することができる。
【００３３】
冷却部材２２と放熱部材２３とは、アルミニウムのように熱伝導率の高い金属材で設けられて、熱電素子２１の冷却部と放熱部とにそれぞれ取り付けられる。冷却ファン２４は、駆動際の放熱部材２３を冷却させるように放熱部材２３に取り付けられる。したがって、自給灌水モジュール２０は、熱電素子２１と、冷却部材２２及び放熱部材２３と、冷却ファン２４とが相互接続されて一体を形成することができる。
【００３４】
冷却ファン２４は、ファンケース２４ａと、ファンケース２４ａの内に設置される送風ファン２４ｂとを含むことができる。熱電素子２１と冷却ファン２４には、電源を印加するための電源ケーブル（図示せず）やバッテリー（図示せず）が接続できる。
【００３５】
冷却部材２２は、熱電素子２１に接触する冷却板部２２ａと、冷却板部２２ａから突出する複数の冷却ピン部２２ｂを含むことができる。そして、放熱部材２３は、熱電素子２１に取り付けられる放熱板部２３ａと、放熱板部２３ａから突出する複数の放熱ピン部２３ｂを含むことができる。
【００３６】
したがって、熱電素子２１と冷却ファン２４が駆動すると、吸熱反応が行われる吸熱部により冷却部材２２が冷却され、このとき放熱部材２３は、冷却ファン２４により冷却されながら熱を放出し、これにより、冷却部材２２の表面では、大気中の水分が凝縮されて水が形成できる。
【００３７】
冷却部材２２の表面に凝縮された水は、凝集された状態で、自重により底部へ落下し、その水が下部植栽空間１３ｃに案内されるように貫通部１２の底部には、水供給孔１２ｄが設けられる。水供給孔１２ｄは、貫通部１２の底部を形成する遮蔽板１２ｃの一側に、遮蔽板１２ｃを貫通するように設けられる。
【００３８】
「ロ」字状の植栽空間１３において、植栽空間の上方から内部に充填される土壌３は、下部植栽空間１３ｃより、主に側方植栽空間１３ｂと上部植栽空間１３ａに充填される。したがって、下部植栽空間１３ｃに供給された水が両側の側方植栽空間１３ｂに案内され易くなるように、貫通部１２の底部の下部植栽空間１３ｃの底部を形成する底板１７は、中央部がアーチ形をなすように設けられることが望ましい。
【００３９】
下部植栽空間１３ｃの底部の形状は、アーチ形に限定されるものではない。下部植栽空間１３ｃに案内された水を両側の側方植栽空間１３ｂの底部に案内できるように、貫通部１２の底部が貫通部１２の底部の両側よりも高く設けられる範囲内で、植栽空間１３の底部の形状は、様々な変形が可能である。
【００４０】
したがって、水供給孔１２ｄを介して下部植栽空間１３ｃに案内された水は、アーチ形で設けられる下部植栽空間１３ｃの底部によって、両側の側方植栽空間１３ｂの底部へ案内されて土壌３に吸収され、側方植栽空間１３ｂに供給された水は、土壌３の毛細管現象によって上部植栽空間１３ａまで伝達することができる。
【００４１】
自給灌水モジュール２０は、冷却部材２２と冷却ファン２４が貫通部１２の開放された両方の開口方向に向うように貫通部１２に設置できる。
【００４２】
そして、冷却部材２２の表面に生成された水が水供給孔１２ｄへ供給されやすくなるように、自給灌水モジュール２０は、冷却ピン部２２ｂが水供給孔１２ｄの直上部に位置するように貫通部１２に設置することができる。
【００４３】
貫通部１２の底部を形成する遮蔽板１２ｃにおいて、水供給孔１２ｄの一側には、自給灌水モジュール２０を支持するための支持部１８が設けられ、自給灌水モジュール２０は、底部の両側が支持部１８を介して支持された状態で、冷却部材２２の冷却ピン部２２ｂが水供給孔１２ｄの直上部に位置するように設けることができる。この状態の自給灌水モジュール２０は、固定ボルトのような締結手段や接着剤などを介して貫通部１２に固定することができる。
【００４４】
冷却ピン部２２ｂは、冷却板部２２ａの一面から突出するが、冷却部材２２の上下方向に向かって長く形成され、複数個が冷却板部２２ａの幅方向に沿って相互に離隔されるように配置できる。
【００４５】
したがって、冷却ピン部２２ｂの表面に凝集された水は、その自重によって冷却ピン部２２ｂの表面に沿って底部へそのまま案内された状態で水供給孔１２ｄに落下されて、植栽空間１３に供給されることになる。
【００４６】
このように構成される植木鉢１は、植栽空間１３に土壌３を充填し、植物２を植栽した状態で、自給灌水モジュール２０を駆動させることによって、熱電素子２１と冷却ファン２４とが駆動されるに応じて、吸熱反応が行われる吸熱部によって冷却部材２２が冷却される。
【００４７】
このとき、放熱部材２３は、冷却ファン２４によって冷却されて熱を放出し、これにより、冷却部材２２の表面では、大気中の水分が凝縮されて水が形成される。
【００４８】
冷却部材２２の表面に生成された水は、相互に凝集されて冷却ピン部２２ｂの表面に沿って底部に案内された状態で、自重によって水供給孔１２ｄに落下されて下部植栽空間１３ｃに供給され、続いてアーチ形に設けられた下部植栽空間１３ｃの底部によって両側の側方植栽空間１３ｂの底部に案内され、これにより、土壌３に供給された水は、土壌３の毛細管現象によって側方植栽空間１３ｂの上部と上部植栽空間１３ａとまで伝達されることで、植物２の根２ａを介して吸収することができる。
【００４９】
また、この時には、芯１００を使用して冷却部材２２から凝縮された水が植栽空間１３へより迅速に伝達させることができる。
【００５０】
芯１００は、一端が冷却部材２２に接触した状態で、他端が水供給孔１２ｄを介して下部植栽空間１３ｃに延長するように設けられる。また、芯１００の一端は、冷却ピン部２２ｂに挟まれた状態で、冷却部材２２に支持されて、これにより、芯１００は側方植栽空間１３ｂの底部まで延長することができる。
【００５１】
したがって、冷却部材２２の冷却ピン部２２ｂに形成された水は、自重によって落下する前に、この芯１００を介して植栽空間１３に伝達させることができる。
【００５２】
ここで、芯１００は、土壌のように水分を吸収して伝達できる様々な他の媒介物で置き換えることができ、この場合にも、冷却ピン部２２ｂに形成された水は、媒介物を介して直接に側方植栽空間１３ｂに伝達させることができる。
【００５３】
なお、図６に、下部植栽空間１３ｃの側に示した実線の矢印は、水供給孔１２ｄを通過して、両側の側方植栽空間１３ｂの底部に案内される水の流れ方向を示す。
【００５４】
また、この一実施形態に係る変形例を示す図７のように、植木鉢１′は、貫通部１２の上方の上部植栽空間１３ａと貫通部１２との間が通気可能に設けられ、自給灌水モジュール２０は、冷却部材２２が貫通部１２の底部に向かって、冷却ファン２４によって送風される空気が貫通部１２の上方の上部植栽空間１３ａに案内されるように貫通部１２に設けることができる。
【００５５】
このとき、上部植栽空間１３ａの底部を形成する遮蔽板１２ａ′は、土壌３は遮断する反面に、空気の流通は許容するために、多数の微細孔を備えるメッシュ（ｍｅｓｈ）形で設けることができる。
【００５６】
そして、自給灌水モジュール２０は、冷却部材２２が底部に向かいかつ冷却ファン２４が上部に向かうように、貫通部１２に設置された姿勢の以外は、前述した形態のまま設けることができる。
【００５７】
図面において、未説明符号１９は、冷却部材２２が底部に向うように貫通部１２に設けられる自給灌水モジュール２０を支持するための支持部を示す。
【００５８】
このように構成される植木鉢１′は、冷却部材２２によって大気中の水分を凝縮して生成した水を水供給孔１２ｄを介して植栽空間１３に伝達する作用は、前述した植木鉢１と略同様の方法で行うことができる。
【００５９】
そして、自給灌水モジュール２０の動作過程において、冷却ファン２４を介して送風される空気は、上部植栽空間１２の底部の微細孔を介して上部植栽空間１２ａに伝達されるが、このような風は、植木鉢１′に植栽された植物２の根２ａに酸素を供給して根２ａの呼吸を促進させることで、植物２の生長がより円滑になる。
【００６０】
また、このときには、冷却ファン２４の送風作用により、上部植栽空間１２ａを通過して循環する空気の流れは、植木鉢１′の周囲の空気を浄化させることができる。
【００６１】
すなわち、植木鉢１′の周辺の空気が植栽空間１３を通過する過程で、空気中の汚染物質は、一部が土壌３に吸着または吸収されて除去され、他の一部が根圏部の微生物の栄養源として活用される過程のうち除去できるため、自給灌水モジュール２０
の作動により植栽空間１３を通過して循環する空気の流れは、 植木鉢１′の周辺の空気を浄化させることができる。
【００６２】
なおに、図７における下部植栽空間１３ｃの側に示した実線の矢印は、水供給孔１２ｄを通過して両側の側方植栽空間１３ｂの底部に案内される水の流れ方向を示し、上部植栽空間１３ａの側に示した破線の矢印は、上部植栽空間１３ａを通過する空気の流れ方向を示す。
【符号の説明】
【００６３】
１：植木鉢
１０：本体
１２：貫通部
１２ａ、１２ｂ、１２ｃ：遮蔽板
１２ｄ：水供給孔
１３：植栽空間
１３ａ：上部植栽空間
１３ｂ：側方植栽空間
１３ｃ：下部植栽空間
１４：前面板
１５：背面板
１６：側面板
１７：底板
１８：支持部
２０：自給灌水モジュール
２１：熱電素子
２２：冷却部材
２２ａ：冷却板部
２２ｂ：冷却ピン部
２３：放熱部材
２４：冷却ファン
【図１】
2021503297.tif 000003
【図２】
2021503297.tif 000004
【図３】
2021503297.tif 000005
【図４】
2021503297.tif 000006
【図５】
2021503297.tif 000007
【図６】
2021503297.tif 000008
【図７】
2021503297.tif 000009
【国際調査報告】
2021503297.tif 000010
2021503297.tif 000011
2021503297.tif 000012
2021503297.tif 000013